(57)【要約】【課題】遊技者に理解しやすい示唆演出を実行する。【解決手段】所定の入賞口に遊技球が入賞したことに基づいて大当たり判定を行い、この判定が大当たりであった場合に、球発射ハンドル１３４の発射操作の中断を示唆する演出を行う。演出は、球発射ハンドル１３４の操作を直接示唆する内容ではなく、遊技者の両手を上方に上げることを示唆する。【選択図】図９
2011125587.tif 000002
【特許請求の範囲】
【請求項１】
操作者による操作により遊技領域に遊技球を発射させる球発射手段と、
複数の情報の中から所定の情報を操作者に対して表示する情報表示部と、
前記遊技球が所定の入賞口に入賞したことに応じて、所定の遊技装置を制御する遊技制御手段と、を備えた遊技台であって、
前記遊技制御手段は、所定の条件に基づいて、前記球発射手段の操作の中断を示唆する発射操作中断示唆演出を前記情報表示部に表示することを特徴とする遊技台。
【請求項２】
請求項１に記載の遊技台において、
前記遊技制御手段は、所定の入賞口に遊技球が入賞したことを条件に大当たり判定を実行すると共に、今回の判定が大当たりであった場合に、前記発射操作中断示唆演出を行うことを特徴とする遊技台。
【請求項３】
請求項１または請求項２に記載の遊技台において、
前記発射操作中断示唆演出は、前記大当たりの遊技制御が開始されるまで行われることを特徴とする遊技台。
【請求項４】
請求項２または請求項３に記載の遊技台において、
前記遊技制御手段は、前記判定を複数記憶可能に構成されると共に、複数の前記判定結果のうち、いずれかの前記判定が大当たり判定だった場合に、前記発射操作中断示唆演出を行うことを特徴とする遊技台。
【請求項５】
請求項１乃至請求項４のいずれかに１項に記載の遊技台において、
前記発射操作中断示唆演出は、前記球発射手段を把持する側の手又は両手のうち、少なくとも一方の動作を示唆する内容であることを特徴とする遊技台。
【発明の詳細な説明】
【技術分野】
【０００１】
本発明は、スロットマシン、パチンコ機等に代表される遊技台に関し、遊技に関する情報を表示装置に出力する遊技台に関する。
【背景技術】
【０００２】
従来、スロットマシンやパチンコと呼ばれる遊技台では、始動口と呼ばれる入賞口に遊技球が入賞したことを条件に大当たり判定を行い、その判定結果を７セグメントＬＥＤなどで構成される表示装置に表示する一方、演出的な効果を高めるため、遊技盤中央に設けられた画像表示装置にキャラクターや背景画像などを表示して、リーチアクションや大当たり演出などの画像演出を行っている。特に最近では、遊技の進行に応じて操作方法を示唆し、遊技操作を円滑に行えるように補助する遊技台も提案されている。
【先行技術文献】
【特許文献】
【０００３】
【特許文献１】特開２００８−２００３０２号公報
【発明の概要】
【発明が解決しようとする課題】
【０００４】
ところが、上記遊技操作の示唆は、遊技台に設けられた操作部について一定の操作を行うように示唆するものが多く、そもそも、遊技台の仕組みを知らない遊技の初心者には、示唆内容が理解し難いという問題があった。
【０００５】
本発明の目的は上述の問題を鑑みて、遊技の初心者であっても、理解が容易な示唆演出を行うことが可能な遊技台を提供することにある。
【課題を解決するための手段】
【０００６】
本発明に係る遊技台では、操作者による操作により遊技領域に遊技球を発射させる球発射手段と、複数の情報の中から所定の情報を操作者に対して表示する情報表示部と、前記遊技球が所定の入賞口に入賞したことに応じて、所定の遊技装置を制御する遊技制御手段と、を備えた遊技台であって、前記遊技制御手段は、所定の条件に基づいて、前記球発射手段の操作の中断を示唆する発射操作中断示唆演出を前記情報表示部に表示することを特徴とする。
【発明の効果】
【０００７】
以上のように本発明では、示唆する内容を、遊技者に容易に伝えることができる。
【図面の簡単な説明】
【０００８】
【図１】本発明の一実施形態に係るパチンコ機の外観を示す斜視図である。
【図２】遊技盤の正面図である。
【図３】パチンコ機の制御ブロック図である。
【図４】特図及び普図の説明図である。
【図５】（ａ）主制御部メイン処理の流れを示すフローチャートである。（ｂ）主制御部タイマ割り込み処理の流れを示すフローチャートである。
【図６】（ａ）大当たり判定テーブルを示す図である。（ｂ）特図決定用テーブルを示す図である。（ｃ）テーブルセット選択テーブルを示す図である。
【図７】タイマ番号決定用テーブルを示す図である。
【図８】（ａ）タイマ番号演出対応テーブルを示す図である。（ｂ）ボタン演出決定用テーブルを示す図である（大当たり時）。（ｃ）ボタン演出決定用テーブルを示す図である（大当たり保留球あり時）。
【図９】（ａ）球節約演出１を示す図である。（ｂ）球節約演出２を示す図である。
【図１０】示唆演出に従った遊技者を示す図である。
【図１１】（ａ）球節約演出の変形例を示す図である。（ｂ）球節約演出の変形例を示す図である。
【図１２】第２実施形態に係るパチンコ機の正面図である。
【図１３】（ａ）第２実施形態に係る球節約演出を示す図である。（ｂ）第２実施形態に係る球節約演出を示す図である。（ｃ）第２実施形態に係る球節約演出を示す図である。
【図１４】第３実施形態に係るパチンコ機の正面図である。
【図１５】（ａ）第３実施形態に係る球節約演出を示す図である。（ｂ）第３実施形態に係る球節約演出を示す図である。（ｃ）第３実施形態に係る球節約演出を示す図である。（ｄ）第３実施形態に係る球節約演出を示す図である。
【発明を実施するための形態】
【０００９】
以下、図面を用いて、本発明の実施形態に係る遊技台（例えば、パチンコ機１００等の弾球遊技機やスロット機等の回胴遊技機）について詳細に説明する。
【００１０】
まず、図１を用いて、本発明の実施形態に係るパチンコ機１００の全体構成について説明する。なお、同図はパチンコ機１００を正面側（遊技者側）から見た外観斜視図である。
【００１１】
パチンコ機１００は、外部的構造として、外枠１０２と、本体１０４と、前面枠扉１０６と、球貯留皿付扉１０８と、発射装置１１０と、遊技盤２００と、をその前面に備える。
【００１２】
外枠１０２は、遊技機設置営業店に設けられた設置場所（島設備等）へと固定させるための縦長方形状から成る木製の枠部材である。
【００１３】
本体１０４は、内枠と呼ばれ、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１４】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。また、前面枠扉１０６が開放された場合、前面枠扉１０６の開放を検出する不図示の前面枠扉開放センサを備える。
【００１５】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（後述）の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。また、下皿１２８が満タンであることを検出する不図示の下皿満タンセンサを備える。
【００１６】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１７】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００１８】
図２は、遊技盤２００を正面から見た略示正面図である。
【００１９】
遊技盤２００には、外レール２０２と内レール２０４とを配設し、遊技球が転動可能な遊技領域１２４を区画形成している。
【００２０】
遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。
【００２１】
装飾図柄表示装置２０８は、装飾図柄ならびに演出に用いる様々な表示を行うための表示装置であり、本実施形態では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２２】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２３】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２４】
また、この演出装置２０６の周囲には、所定の球進入口、例えば、一般入賞口２２６及び複数一般入賞口２６０と、普図始動口２２８ａ、２２８ｂと、第１特図始動口２３０と、第２特図始動口２３２と、可変入賞口２３４を配設している。
【００２５】
一般入賞口２２６及び複数一般入賞口２６０は、入球を所定の球検出センサ（図示省略）が検出した場合（一般入賞口２２６に入賞した場合）、払出装置を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２６】
普図始動口２２８ａ、２２８ｂは、ゲートやスルーチャッカーと呼ばれる、遊技領域１２４の所定の領域を球が通過したか否かを判定するための装置で構成しており、本実施例では遊技盤２００の左右に１つずつ配設している。普図始動口２２８ａ、２２８ｂを通過した球は一般入賞口２２６に入球した球と違って、遊技島側に排出することはない。球が普図始動口２２８ａ、２２８ｂを通過したことを所定の球検出センサが検出した場合、パチンコ機１００は、普図表示装置２１０による普図変動遊技を開始する。
【００２７】
第１特図始動口２３０は、本実施例では遊技盤２００の中央に１つだけ配設している。この第１特図始動口２３０への入球を所定の球検出センサが検出した場合、払出装置を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００２８】
第２特図始動口２３２は、電動チューリップ（電チュー）と呼ばれ、本実施例では遊技盤２００の右側に配置している。この第２特図始動口２３２は、左右に開閉自在な羽根部材を備え、羽根部材の閉鎖中は球の入球が不可能であり、普図変動遊技に当選し、普図表示装置２１０が当たり図柄を停止表示した場合に羽根部材が所定の時間間隔、所定の回数で開閉する。第２特図始動口２３２への入球を所定の球検出センサが検出した場合、払出装置を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００２９】
可変入賞口２３４は、大入賞口またはアタッカーと呼ばれ、本実施例では遊技盤２００の中央部下方に１つだけ配設している。この可変入賞口２３４は、開閉自在な扉部材を備え、扉部材の閉鎖中は球の入球が不可能であり、特図変動遊技に当選して特図表示装置が大当たり図柄を停止表示した場合に扉部材が所定の時間間隔（例えば、開放時間２９秒、閉鎖時間１．５秒）、所定の回数（例えば１５回）で開閉する。可変入賞口２３４への入球を所定の球検出センサが検出した場合、払出装置を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３０】
さらに、これらの入賞口や始動口の近傍には、円盤状の打球方向変換部材２３６（以下風車という）や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００３１】
このパチンコ機１００は、遊技者が上皿１２６に貯留している球を発射レールの発射位置に供給し、遊技者の操作ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８ａ、２２８ｂを通過するのみでアウト口２４０に到達する。
【００３２】
＜演出装置２０６＞
次に、パチンコ機１００の演出装置２０６について説明する。
【００３３】
この演出装置２０６の前面側には、遊技球の転動可能な領域にワープ装置およびステージ２４４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００３４】
ワープ装置２４２は、演出装置２０６の左上方に設けたワープ入口に入った遊技球を演出装置２０６の前面下方のステージ２４４に排出する。
【００３５】
ステージ２４４は、ワープ出口から排出された球や遊技盤２００の遊技釘２３８などによって乗り上げた球などが転動可能である。
【００３６】
遮蔽装置２４６は、格子状の扉からなり、装飾図柄表示装置２０８およびステージ２４４の間に配設する。扉の上部には、不図示の２つのプーリに巻き回したベルトをそれぞれ固定している。すなわち、左右の扉は、モータによりプーリを介して駆動するベルトの動作に伴って左右にそれぞれ移動する。遮蔽手段は、扉を閉じた状態ではそれぞれの内側端部が重なり、遊技者が装飾図柄表示装置２０８を視認し難いように遮蔽する。扉を開いた状態ではそれぞれの内側端部が装飾図柄表示装置２０８の表示画面の外側端部と若干重なるが、遊技者は装飾図柄表示装置２０８の表示の全てを視認可能である。また、扉は、それぞれ任意の位置で停止可能であり、例えば、表示した装飾図柄がどの装飾図柄であるかを遊技者が識別可能な程度に、装飾図柄の一部だけを遮蔽するようなことができる。なお、扉は、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００３７】
＜制御部＞
次に、図３を用いて、このパチンコ機１００の制御部の回路構成について詳細に説明する。なお、同図は制御部の回路ブロック図を示したものである。
【００３８】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源管理部６６０と、によって構成している。
【００３９】
＜主制御部＞
まず、パチンコ機１００の主制御部３００について説明する。
【００４０】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６が出力する所定周期のクロック信号をシステムクロックとして入力して動作する。
【００４１】
また、基本回路３０２には、水晶発振器３１６が出力するクロック信号を受信する度に０〜６５５３５の範囲で数値を変動させるハードウェア乱数カウンタとして使用しているカウンタ回路３１８（この回路には２つのカウンタを内臓しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果をカウンタ回路３１８および基本回路３０２に出力するためのセンサ回路３２２と、所定の図柄表示装置、例えば第１特図表示装置２１２や第２特図表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、所定の可動部材、例えば第２特図始動口２３２の羽根部材や可変入賞口２３４の扉部材等を開閉駆動する各種ソレノイド３３２を制御するための駆動回路３３４を接続している。
【００４２】
なお、第１特図始動口２３０に球が入賞したことを各種センサ３２０が検出した場合には、センサ回路３２２は球を検出したことを示す信号をカウンタ回路３１８に出力する。この信号を受信したカウンタ回路３１８は、第１特図始動口２３０に対応するカウンタのそのタイミングにおける値をラッチし、ラッチした値を、第１特図始動口２３０に対応する内蔵のカウンタ値記憶用レジスタに記憶する。また、カウンタ回路３１８は、第２特図始動口２３２に球が入賞したことを示す信号を受信した場合も同様に、第２特図始動口２３２に対応するカウンタのそのタイミングにおける値をラッチし、ラッチした値を、第２特図始動口２３２に対応する内蔵のカウンタ値記憶用レジスタに記憶する。
【００４３】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【００４４】
また、主制御部３００には、電源管理部６６０から主制御部３００に供給している電源の電圧値を監視する電圧監視回路３３８を設けており、この電圧監視回路３３８は、電源の電圧値が所定の値（本実施例では９ｖ）未満である場合に電圧が低下したことを示す低電圧信号を基本回路３０２に出力する。
【００４５】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する（後述する主制御部メイン処理を開始する）。
【００４６】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【００４７】
＜副制御部＞
次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種演出データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。なお、ＲＯＭ４０６は、制御プログラムと各種演出データとを別々のＲＯＭに記憶させてもよい。
【００４８】
また、基本回路４０２には、スピーカ１２０（およびアンプ）の制御を行うための音源ＩＣ４１６と、各種ランプ４１８（例えば、チャンスボタンランプ１３８）の制御を行うための駆動回路４２０と、演出可動体２２４の駆動制御を行うための駆動回路４３２と、演出可動体２２４の現在位置を検出する演出可動体センサ４２４、チャンスボタン１３６の押下を検出するチャンスボタン検出センサ４２６、本発明の第２の実施形態において、チャンスボタンを２箇所設けた際に使用される第２チャンスボタンセンサ６８０、本発明の第３の実施形態において使用されるマトリクス状に配置された光学センサ６８２、それらのセンサからの信号を検出するセンサ回路４２８を備える。
【００４９】
第２副制御部５００は、第１副制御部４００が送信した制御コマンドを入力インタフェースを介して受信し、装飾図柄表示装置２０８や遮蔽装置２４６を駆動制御する。
【００５０】
＜払出制御部、発射制御部、電源管理部＞
次に、パチンコ機１００の払出制御部６００、発射制御部６３０、電源管理部６６０について説明する。
【００５１】
払出制御部６００は、主に主制御部３００が送信したコマンド等の信号に基づいて払出制御部６００の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【００５２】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００５３】
電源管理部６６０は、パチンコ機１００に外部から供給される交流電源を直流化し、所定の電圧に変換して主制御部３００、第１副制御部４００等の各制御部や払出制御部６００等の各装置に供給する。さらに、電源管理部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源管理部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【００５４】
＜図柄の種類＞
次に、図４（ａ）〜（ｃ）を用いて、パチンコ機１００の第１特別図柄表示装置２１２、第２特別図柄表示装置２１４、装飾図柄表示装置２０８、普通図柄表示装置２１０が停止表示する特図および普図の種類について説明する。
【００５５】
図４（ａ）は特図の停止図柄態様の一例を示したものである。
【００５６】
第１特図始動口２３０に球が入球したことを第１始動口センサが検出したことを条件として特図１変動遊技が開始され、第２特図始動口２３２に球が入球したことを第２始動口センサが検出したことを条件として特図２変動遊技が開始される。特図１変動遊技が開始されると、第１特別図柄表示装置２１２は、７個のセグメントの全点灯と、中央の１個のセグメントの点灯を繰り返す「特図１の変動表示」を行う。また、特図２変動遊技が開始されると、第２特別図柄表示装置２１４は、７個のセグメントの全点灯と、中央の１個のセグメントの点灯を繰り返す「特図２の変動表示」を行う。これらの「特図１の変動表示」および「特図２の変動表示」が本発明にいう図柄の変動表示の一例に相当する。そして、特図１の変動開始前に決定した変動時間（本発明にいう変動時間が相当）が経過すると、第１特別図柄表示装置２１２は特図１の停止図柄態様を停止表示し、特図２の変動開始前に決定した変動時間（これも本発明にいう変動時間が相当）が経過すると、第２特別図柄表示装置２１４は特図２の停止図柄態様を停止表示する。したがって、「特図１の変動表示」を開始してから特図１の停止図柄態様を停止表示するまで、あるいは「特図２の変動表示」を開始してから特図２の停止図柄態様を停止表示するまでが本発明にいう図柄変動停止表示の一例に相当し、以下、この「特図１又は２の変動表示」を開始してから特図１又は２の停止図柄態様を停止表示するまでの一連の表示を図柄変動停止表示と称する。図４（ａ）には、図柄変動停止表示における停止図柄態様として「特図Ａ」から「特図Ｃ」までの３種類の特図が示されている。図４（ａ）においては、図中の白抜きの部分が消灯するセグメントの場所を示し、黒塗りの部分が点灯するセグメントの場所を示している。
【００５７】
「特図Ａ」は１５ラウンド（１５Ｒ）特別大当たり図柄で、かつ大当たり遊技終了後、所定回数、特図の大当たり確率が増加する確率変動遊技を行うことができる。「特図Ｂ」は１５Ｒ大当たり図柄で、かつ大当たり終了後、所定回数、電チューの開放時間が増加する時短遊技を行うことができる。「特図Ｃ」はハズレ図柄である。
【００５８】
本実施形態のパチンコ機１００では、特図変動遊技における大当りか否かの決定はハードウェア乱数の抽選によって行い、特別大当りか否かの決定はソフトウェア乱数の抽選によって行う。大当りと特別大当りの違いは、次回の特図変動遊技で、大当りに当選する確率が高い（特別大当り）か低い（大当り）かの違いである。以下、この大当りに当選する確率が高い状態のことを特図高確率状態と（確率変動状態）称し、その確率が低い状態のことを特図低確率状態と称する。
【００５９】
図４（ｂ）は装飾図柄の一例を示したものである。本実施形態の装飾図柄には、「装飾１」〜「装飾１０」の１０種類がある。第１特図始動口２３０または第２特図始動口２３２に球が入賞したこと、すなわち、第１特図始動口２３０に球が入球したことを第１始動口センサが検出したこと、あるいは第２特図始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。そして、「特図Ｂ」の１５Ｒ大当たりを報知する場合には、図柄表示領域２０８ａ〜２０８ｃに１５Ｒ大当たりに対応する、同じ装飾図柄が３つ並んだ図柄組合せ（例えば「装飾２−装飾２−装飾２」や「装飾４−装飾４−装飾４」等）を停止表示する。「特図」の１５Ｒ特別大当たりを報知する場合には、同じ奇数の装飾図柄が３つ並んだ図柄組合せ（例えば「装飾３−装飾３−装飾３」や「装飾７−装飾７−装飾７」等）を停止表示する。
【００６０】
一方、「特図Ｃ」を報知する場合には、図柄表示領域２０８ａ〜２０８ｃに図４（ｂ）に示す図柄組合せ以外の図柄組合せを停止表示する。
【００６１】
図４（ｃ）は普図の停止表示図柄の一例を示したものである。本実施形態の普図の停止表示態様には、当たり図柄である「普図Ａ」と、外れ図柄である「普図Ｂ」の２種類がある。普図始動口２２８ａ、２２８ｂを球が通過したことを上述のゲートセンサが検出したことに基づいて、普通図柄表示装置２１０は、７個のセグメントの全点灯と、中央の１個のセグメントの点灯を繰り返す「普図の変動表示」を行う。そして、普図変動遊技の当選を報知する場合には「普図Ａ」を停止表示し、普図変動遊技の外れを報知する場合には「普図Ｂ」を停止表示する。この図４（ｃ）においても、図中の白抜きの部分が消灯するセグメントの場所を示し、黒塗りの部分が点灯するセグメントの場所を示している。
【００６２】
＜主制御部メイン処理＞
次に、図５（ａ）を用いて、主制御部３００のＣＰＵ３０４が実行する主制御部メイン処理について説明する。なお、同図は主制御部メイン処理の流れを示すフローチャートである。
【００６３】
主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って図５（ａ）に示す主制御部メイン処理を実行する。
【００６４】
１００１では、初期化処理行う。この初期化処理では、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、ＷＤＴ３１４への動作許可及び初期値の設定等を行う。なお、本実施形態では、ＷＤＴ３１４に、初期値として３２．８ｍｓに相当する数値を設定する。
【００６５】
１００３では、基本乱数初期値変更処理を行う。この処理は、乱数カウンタが一周しているときに、乱数カウンタの値を初期値に戻す処理である。
【００６６】
１００５では、演出乱数更新処理を行う。この処理は、装飾図柄表示装置２０８で行われる演出内容を選択する際に使用される演出乱数を更新する処理である。
【００６７】
＜主制御部タイマ割込処理＞
次に、図５（ｂ）を用いて、主制御部３００のＣＰＵ３０４が実行する主制御部タイマ割込処理について説明する。なお、同図は主制御部タイマ割込処理の流れを示すフローチャートである。
【００６８】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。
【００６９】
１１０１では、入力ポート状態更新処理を行う。この入力ポート状態更新処理では、Ｉ／Ｏ３１０の入力ポートを介して、上述の前面枠扉開放センサや内枠開放センサや下皿満タンセンサ、各種の球検出センサを含む各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【００７０】
１１０３および１１０５では、基本乱数初期値更新処理および基本乱数更新処理を行う。これらの基本乱数初期値更新処理および基本乱数更新処理では、主制御部３００で使用する、普図当選乱数値、特図１乱数値、および特図２乱数値をそれぞれ生成するための２つの乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。また、普図当選乱数値生成用の乱数カウンタが次に１周したことを判定するための上述の初期値記憶領域とは別に、特図乱数生成用の乱数カウンタが１周したことを判定するための初期値記憶領域をＲＡＭ３０８に設けている。なお、本実施形態では特図１の乱数値を取得するためのカウンタと特図２の乱数値を取得するためのカウンタとを別に設けたが、同一のカウンタを用いてもよい。
【００７１】
１１０７では、タイマ更新処理を行う。このタイマ更新処理では、普通図柄表示装置２１０に図柄を変動・停止表示する時間を計時するための普図表示図柄更新タイマ、第１特別図柄表示装置２１２に図柄を変動・停止表示する時間を計時するための特図１表示図柄更新タイマ、第２特図表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【００７２】
１１０９では、入賞判定処理を行う。この入賞判定処理では、第１特図始動口２３０、第２特図始動口２３２、普図始動口２２８ａ、２２８ｂおよび可変入賞口２３４への入賞があったか否かを判定する。第１特図始動口２３０へ入賞があった場合且つＲＡＭ３０８に設けた対応する保留数記憶領域が満タンでない場合、カウンタ回路３１６の当選用カウンタ値記憶用レジスタから値を特図１当選乱数値として取得するとともに特図１乱数値生成用の乱数カウンタから値を特図１乱数値として取得して対応する乱数値記憶領域に格納する。第２特図始動口２３２へ入賞があった場合且つＲＡＭ３０８に設けた対応する保留数記憶領域が満タンでない場合、カウンタ回路３１６の当選用カウンタ値記憶用レジスタから値を特図２当選乱数値として取得するとともに特図２乱数値生成用の乱数カウンタから値を特図２乱数値として取得して対応する乱数値記憶領域に格納する。普図始動口２２８ａ、２２８ｂへ入賞があった場合且つＲＡＭ３０８に設けた対応する保留数記憶領域が満タンでない場合、普図当選乱数値生成用の乱数カウンタから値を普図当選乱数値として取得して対応する乱数値記憶領域に格納する。可変入賞口２３４へ入賞があった場合には、可変入賞口用の入賞記憶領域に、可変入賞口２３４に球が入球したことを示す情報を格納する。また後述する演出テーブルを用いた演出内容を決定する処理がこのステップにて実行される。
【００７３】
１１１１では、普図関連処理を行う。この処理では、普図の表示処理と、普図の判定処理と、判定結果に基づいて、第２特図始動口２３２の羽根部材の駆動処理が行われる。
【００７４】
１１１３では、特図関連処理をおこなう。この処理では、特図の表示処理と、特図の判定処理などが行われ、大当たりフラグや確率変動フラグ、時短フラグなどがセットされると共に、大当たりであった場合は、大当たり種別によって、可変入賞口２３４の駆動データなどをセットする。
【００７５】
ステップ１１１５では、コマンド設定送信処理を行い、各種のコマンドが第１副制御部４００に送信される。なお、第１副制御部４００に送信する出力予定情報は例えば１６ビットで構成しており、ビット１５はストローブ情報（オンの場合、データをセットしていることを示す）、ビット１１〜１４はコマンド種別（本実施形態では、基本コマンド、図柄変動開始コマンド、図柄変動停止コマンド、入賞演出開始コマンド、終了演出開始コマンド、大当りラウンド数指定コマンド、復電コマンド、ＦＲＡＭクリアコマンドなどコマンドの種類を特定可能な情報）、ビット０〜１０はコマンドデータ（コマンド種別に対応する所定の情報）で構成している。また、払出制御部６３０にも払出データを送信する。
【００７６】
ステップ１１１７では、外部出力信号設定処理を行う。この外部出力信号設定処理では、ＲＡＭ３０８に記憶している遊技情報を、情報出力回路３３６を介してパチンコ機１００とは別体の情報入力回路３５０に出力する。
【００７７】
ステップ１１１９では、デバイス監視処理を行う。このデバイス監視処理では、各種センサの信号状態を読み出して、所定のエラーの有無、例えば前面枠扉開放エラーの有無または下皿満タンエラーの有無などを監視し、前面枠扉開放エラーまたは下皿満タンエラーを検出した場合に、第１副制御部４００に送信すべき送信情報に、前面枠扉開放エラーの有無または下皿満タンエラーの有無を示すデバイス情報を設定する。また、各種ソレノイド３３２を駆動して第２特図始動口２３２や、可変入賞口２３４の開閉を制御したり、駆動回路３２４、３２６、３３０を介して普通図柄表示装置２１０、第１特別図柄表示装置２１２、第２特別図柄表示装置２１４、各種状態表示部３２８などに出力する表示データを、Ｉ／Ｏ３１０の出力ポートに設定する。
【００７８】
次に、図６から図９を用いて、本発明で使用される判定テーブルの説明を行う。
【００７９】
図６は、特図に関連する判定テーブルである。
【００８０】
図６（ａ）は、大当たり判定テーブルを示す図である。大当たり判定用の特図１乱数値及び特図２乱数値は０〜６５５３５の範囲で設定されており、乱数値が判定テーブルのどの区画の範囲に属するかによって、大当たりの可否が決定される。大当たり判定テーブルは大別して、現在の遊技状態が確率変動中であるか否かで分かれており、特図低確率状態のときは乱数範囲が１０００〜１２１７と狭く、特図高確率状態のときは乱数範囲が１０００〜２０８９と広く設定されている。
【００８１】
図６（ｂ）は、特図決定用テーブルを示す図である。特図決定用乱数値は０〜９９の範囲で設定されており、乱数範囲が０〜４９であれば、図４（ａ）の特図Ａが選択され、乱数範囲が５０〜９９であれば、特図Ｂが選択される。本実施例では、特図Ａが選択された場合、可変入賞口２３４の開放回数が１５Ｒ（ラウンド）、大当たり終了後確率変動状態に移行し、特図Ｂが選択された場合、可変入賞口２３４の開放回数が１５Ｒ（ラウンド）大当たり終了後時短状態に移行する。
【００８２】
図６（ｃ）は、テーブルセット選択テーブルを示す図である。テーブルセット選択テーブルは、後述するタイマ番号を決定するタイマ選択テーブルを決定する。テーブルセット選択テーブルは大別して、大当たり図柄が、特図Ａであるかで分かれており、大当たり終了後の特図の変動回数（消化数）によって、異なるタイマ選択テーブルを選択する。例えば、特図Ａで大当たりした場合は、大当たり終了後９０回転まではテーブル２が選択され、９１回転から１００回転まではテーブル３が選択され、最後にテーブル２が選択される。
【００８３】
図７は、タイマ番号決定テーブルを示す図である。タイマ番号決定テーブルは、後述するリーチ演出の変動パターンと、チャンスボタン１３６を用いたボタン演出の種別を決定する際に参照されるタイマ番号を決定する。タイマ番号は、まず今回決定された特図の停止態様が特図Ｃ（ハズレ図柄）か、特図Ａ又は特図Ｂ（大当たり図柄）かによって大別され、次に、図６（ｃ）のテーブルセット選択テーブルで決定されたタイマ選択テーブル番号で細分化される。これに、現在の保留球数が参照されて行われる乱数抽選によってタイマ番号が決定される。例えば今回、特図Ｃで停止、タイマ選択テーブルがテーブル２と決定されたタイミングにおける保留球数が「１」であり、タイマ番号決定用乱数値（乱数範囲は０〜９９）の値が５０だった場合、タイマ２が選択される。
【００８４】
図８は、タイマ番号演出対応テーブル及びボタン演出決定用テーブルを示す図である。
【００８５】
図８（ａ）は、タイマ番号演出対応テーブルを示す図である。タイマ番号演出対応テーブルは、決定されたタイマ番号と、装飾図柄表示装置２０８にて行われる画像演出の対応を示したもので、例えば、タイマ２が選択された場合は、特図の変動時間が５秒の短縮変動が行われ、ボタン演出は行われない。また、タイマ６が選択された場合は、スーパーリーチ２が行われる。
【００８６】
図８（ｂ）は、判定結果が大当たりであった場合の球節約演出決定用テーブルを示す図である。本実施例では、球節約演出を複数用意し、また演出は１００％行われるわけではなく、一定の確率でもって実行される構成となっている。つまり、決定するために抽出した乱数値（乱数範囲０〜９９）が、例えば３０の場合はボタン演出が実行されず、乱数値が７０の場合は球節約演出１が実行される。
【００８７】
図８（ｃ）は、短期間に複数の大当たり判定が実行され、保留されている判定結果の中に大当たり判定があった場合に参照される球節約演出決定用テーブルを示す図である。本判定テーブルにおいても、上記図８（ｂ）の判定テーブルと同様、演出なし、球節約演出１、球節約演出２のいずれかから、乱数によって実行される演出が決定されるが、上記図８（ｂ）の判定テーブルよりも、演出が実行される確率が低く設定されている。
【００８８】
図９〜図１２は、装飾図柄表示装置２０８に表示される発射操作中断示唆演出である球節約演出の流れの例を示した図である。
【００８９】
図９（ａ）は、球節約演出１を示す図である。画面左上では「殿様」が胴上げされている画像が表示されていると共に、画面右下では「姫」の「お客さん、いっしょにバンザイしましょ！」というセリフが表示され、球発射ハンドル１３４から手を離すような示唆が行われる。
【００９０】
図９（ｂ）は、球節約演出２を示す図である。画面左側では、「殿様」の「お客さん、今すぐ両手を上げな！！」というセリフが表示され、ここでも球発射ハンドル１３４から手を離すような示唆が行われる。これらの演出は、大当たりが内部的に決定された後、大当たり遊技が開始されるまで行われる。
【００９１】
よって、これらの示唆演出に従って、図１０に示すように、遊技者が両手を上に持ち上げると、結果的に球発射ハンドル１３４が操作されていない状態となり、例えば、大当たりが内部的に決定されている場合などに無駄な発射操作を行わずに済むことができるので、遊技者が不利益を蒙ることがない。しかもこれらの演出は、所定の操作を行わせるのではなく、「両手を上に持ち上げる」という単純な身体動作を行わせるだけなので、遊技操作や遊技台の構造に疎い遊技の初心者であっても、演出示唆を容易に実行することができ、かつ、身体を大きく動かすことになるので、遊技の面白みが増す。
【００９２】
図１１は、球節約演出の変形例である。図１１（ａ）は、画面左側に「爺」の「画面に右手を合わせるんじゃ」のセリフが表示され、同時に、画面右側に右手のひらの画像が表示され、球発射ハンドル１３４を操作中の右手を、画面右側に合わせるような示唆が行われる。また図１１（ｂ）は、画面下側に「爺」の「右手でボタンを押せ！」のセリフが表示され、右手でもってチャンスボタン１３６を押すような示唆が行われる。いずれの演出も右手で球発射ハンドル１３４から手を離すような示唆であるので、結果的に発射動作を中断させることができる。
【００９３】
次に図１２及び図１３を用いて、本発明の第２実施形態の説明を行う。第２実施形態ではチャンスボタン１３６を２箇所設け、遊技者に両手でチャンスボタン１３６の操作を行わせるような示唆を行う。
【００９４】
図１２は第２実施形態に係るパチンコ機１００の正面図である。上記実施形態ではパチンコ機１００の中央部に一箇所設けられていたチャンスボタン１３６が、パチンコ機１００の右上部にも設けられており、遊技者は両手を用いてチャンスボタン１３６を操作する。
【００９５】
図１３は、第２実施形態に係る球節約演出の流れを示す図である。図１３（ａ）では、障子が閉め切った画像の左下に「殿」の「２つのボタンを両方押し続けると障子が開くぞ」のセリフとチャンスボタン１３６の場所が示唆された画像が表示される。遊技者が２箇所に設けられたチャンスボタン１３６の操作を行うと、次に、図１３（ｂ）に示すように、障子画像が次第に開いていく画像が表示される。更に遊技者が操作を続けると、図１３（ｃ）に示すように、「殿様」と「ライバル」が決闘をしている画像が表示される。
【００９６】
このように、「球発射ハンドル１３４の操作を中断させる」という示唆内容を直接示唆するのではなく、演出と身体操作を伴った別内容の演出動作を遊技者に実行させることで、結果として示唆内容を実現できるように構成すると共に、遊技操作としての面白みも付加させることが可能となる。
【００９７】
図１４は第３実施形態に係るパチンコ機１００の正面図である。第３実施形態では、装飾図柄表示装置２０８を含む遊技領域１２４に、マトリクス状の光学センサ６８１を設け、装飾図柄表示装置２０８上にて行われる遊技者の押圧操作の正否を判定することで、ゲーム的な要素も付加している。
【００９８】
図１５は第３の実施形態に係る球節約演出の流れを示す図である。図１５（ａ）では、画面右下に「殿」の「画面の上の印を手で押さえろ！」のセリフが表示され、押圧ポイント６８４が２箇所表示されると同時に、画面右上に残り時間「３０．００ｓ」が表示される。次に、図１５（ａ）の押圧ポイント６８４が２箇所同時に押されたことを光学センサ６８１が検知した場合、図１５（ｂ）に示すように、別の位置に押圧ポイント６８４を表示され、残り時間が「００．００ｓ」になるまで繰り返され、残り時間が０となった場合に、
図１５（ｃ）に示すように、それまでの押圧動作の成功回数が得点として表示される。更には、図１３（ｄ）に示すように、その得点のランキングが表示される。
【００９９】
以上のように、本発明の遊技台は、操作者による操作により、遊技領域に遊技球を発射させる球発射手段と、複数の情報の中から所定の情報を操作者に対して表示する情報表示部と、前記遊技球が、所定の入賞口に入賞したことに応じて、所定の遊技装置を制御する遊技制御手段と、を備えた遊技台であって、前記遊技制御手段は、所定の条件に基づいて、前記球発射手段の操作の中断を示唆する発射操作中断示唆演出を前記情報表示部に表示することを特徴とした。
【０１００】
上述した実施形態では、遊技球の発射を中断させる手段として、液晶表示装置である装飾図柄表示装置２０８に、遊技者が球発射ハンドル１３４から手を離すような示唆を与える球節約演出画像を表示し、遊技者が示唆演出の内容に従って身体動作を行なうと、結果として遊技球の発射動作が中段されるような構成とした。
【０１０１】
よって、遊技の初心者など、操作方法を熟知していない遊技者であっても、複雑な操作を必要とせず、画像の示唆内容にあわせて直感的に身体動作を行えば、無駄な球発射操作を無くすことができる。
【０１０２】
また、本発明の別の態様では、更に、前記遊技制御手段は、所定の入賞口に遊技球が入賞したことを条件に大当たり判定を実行すると共に、今回の判定が大当たりであった場合に、前記発射操作中断示唆演出を行うことを特徴とした。
【０１０３】
上述した実施形態では、第１特図始動口２３０又は第２特図始動口２３２に遊技球が入賞したことを条件に、大当たり判定テーブルと抽選用乱数値を用いて、大当たり判定を実行し、判定結果が大当たりであった場合に、球節約演出を行う構成とした。
【０１０４】
よって、大当たりと判定された以降の無駄な遊技球の発射を防止することができる。
【０１０５】
また、本発明の別の態様では、更に、前記発射操作中断示唆演出は、前記大当たりの遊技制御が開始されるまで行われることを特徴とした。
【０１０６】
上述した実施形態では、球節約演出を、大当たり遊技が開始されるまで行うように構成した。
【０１０７】
よって、遊技者はいつまで示唆演出に従って発射操作の中断を行うかべきかを的確に判断できるので、遊技球の無駄な発射を防止することができる。
【０１０８】
また、本発明の別の態様では、更に、前記遊技制御手段は、前記判定を複数記憶可能に構成されると共に、複数の前記判定結果のうち、いずれかの前記判定が大当たり判定だった場合に、前記発射操作中断示唆演出を行うことを特徴とする。
【０１０９】
上述した実施形態では、保留球と呼ばれ、特図変動遊技がまだ行われず待機状態にある始動入賞球の中に大当たりが存在する場合にも、球節約演出を行うように構成した。
【０１１０】
よって、今回行われる特図変動遊技だけではなく、将来行われる特図変動遊技に関しても、無駄な遊技球の発射を防止することができる。
【０１１１】
また、本発明の別の態様では、更に、前記発射操作中断示唆演出は、前記球発射手段を把持する側の手又は両手のうち、少なくとも一方の動作を示唆する内容であることを特徴とする。
【０１１２】
上述した実施形態では、装飾図柄表示装置２０８に表示したキャラクタに、「バンザイしましょ」等のセリフを含んだ球節約演出を行わせ、遊技者の両手を動作させる示唆を与える構成とした。
【０１１３】
よって、遊技機や遊技機操作の知識のない遊技者であっても、直感的に身体動作を行うことで球発射動作を中断することができ、無駄な遊技球を発射することを防止できる。
【０１１４】
以上、本発明の実施例を説明したが、具体例を例示したに過ぎず、特に本発明を限定するものではない。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【０１１５】
さらに、本発明は、前述のスロットマシンの実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【符号の説明】
【０１１６】
１００・・・パチンコ機
１３４・・・球発射ハンドル
１３６・・・チャンスボタン
２０８・・・装飾図柄表示装置
【図１】
2011125587.tif 000003
【図２】
2011125587.tif 000004
【図３】
2011125587.tif 000005
【図４】
2011125587.tif 000006
【図５】
2011125587.tif 000007
【図６】
2011125587.tif 000008
【図７】
2011125587.tif 000009
【図８】
2011125587.tif 000010
【図９】
2011125587.tif 000011
【図１０】
2011125587.tif 000012
【図１１】
2011125587.tif 000013
【図１２】
2011125587.tif 000014
【図１３】
2011125587.tif 000015
【図１４】
2011125587.tif 000016
【図１５】
2011125587.tif 000017